(57)【要約】【課題】生体由来凍結物の融解後に生体由来液状物を迅速に生体に投与することができる融解装置及び融解方法を提供する。【解決手段】融解装置１０は、容器１２内に収容された生体由来凍結物１４を融解する。融解装置１０は、容器１２を加温する加温部４２ｈと、容器１２を押圧して、生体由来凍結物１４が融解した生体由来液状物１４Ｌを容器１２内から押し出す押圧部４２ｐとを備える。【選択図】図３
2019154761.tif 000002
【特許請求の範囲】
【請求項１】
容器内に収容された生体由来凍結物を融解する融解装置であって、
前記容器を加温する加温部と、
前記容器を押圧して、前記生体由来凍結物が融解した生体由来液状物を前記容器内から押し出す押圧部と、
を備える融解装置。
【請求項２】
請求項１記載の融解装置において、
前記加温部は、前記押圧部を兼ねた押圧加温部である、融解装置。
【請求項３】
請求項２記載の融解装置において、
前記押圧加温部は、液体充填室を有する加温バッグを有し、前記加温バッグ内への加温用液体の注入量を増加させることにより前記容器を押圧する、融解装置。
【請求項４】
請求項３記載の融解装置において、
前記容器を出し入れするための開口部が設けられ前記加温バッグを収容する本体部と、前記本体部の前記開口部を開閉可能な蓋部と、を有するハウジングを備え、
前記加温バッグと前記蓋部との間で前記容器を挟持する、融解装置。
【請求項５】
容器内に収容された生体由来凍結物を融解する融解方法であって、
融解装置に設けられた加温部により、前記容器を加温して前記生体由来凍結物を融解する融解工程と、
前記融解装置に設けられた押圧部により前記容器を押圧して、前記生体由来凍結物が融解した生体由来液状物を前記容器内から押し出す押圧工程と、
を含む、融解方法。
【発明の詳細な説明】
【技術分野】
【０００１】
本発明は、容器内に収容された生体由来凍結物を融解する融解装置及び融解方法に関する。
【背景技術】
【０００２】
従来、バッグ等の容器内に収容された凍結細胞等の生体由来凍結物の融解（解凍）は、容器を恒温水槽に浸漬して行われる手法が一般的である。しかし、このような温水を用いた融解方法は、衛生的な問題が懸念される。そこで、特許文献１では、２つの加温バッグにより容器を上下から挟み込み、容器内の生体由来凍結物を融解する装置が提案されている。
【先行技術文献】
【特許文献】
【０００３】
【特許文献１】欧州特許第０３１８９２４号明細書
【発明の概要】
【発明が解決しようとする課題】
【０００４】
ところで、医療現場において、生体由来凍結物の融解後に生体由来液状物を迅速に生体に投与することができれば作業効率の向上が図られる。
【０００５】
そこで、本発明は、生体由来凍結物の融解後に生体由来液状物を迅速に生体に投与することができる融解装置及び融解方法を提供することを目的とする。
【課題を解決するための手段】
【０００６】
上記の目的を達成するため、本発明の一態様は、容器内に収容された生体由来凍結物を融解する融解装置であって、前記容器を加温する加温部と、前記容器を押圧して、前記生体由来凍結物が融解した生体由来液状物を前記容器内から押し出す押圧部と、を備える融解装置である。
【０００７】
この融解装置によれば、生体由来凍結物の融解後に、生体由来液状物を生体に迅速に投与することができる。従って、医療現場での作業の効率化が図られる。
【０００８】
前記加温部は、前記押圧部を兼ねた押圧加温部であってもよい。
【０００９】
これにより、装置構成の簡素化、合理化が図られる。
【００１０】
前記押圧加温部は、液体充填室を有する加温バッグを有し、前記加温バッグ内への加温用液体の注入量を増加させることにより前記容器を押圧してもよい。
【００１１】
この構成により、加温バッグ内への加温用液体の導入量を調整することにより容易且つ確実に容器を押圧することができる。
【００１２】
前記容器を出し入れするための開口部が設けられ前記加温バッグを収容する本体部と、前記本体部の前記開口部を開閉可能な蓋部と、を有するハウジングを備え、前記加温バッグと前記蓋部との間で前記容器を挟持してもよい。
【００１３】
この構成により、ハウジング内に容器を簡単に配置することができるとともに、加温バッグにより容器を効果的に押圧することができる。
【００１４】
本発明の他の態様は、容器内に収容された生体由来凍結物を融解する融解方法であって、融解装置に設けられた加温部により、前記容器を加温して前記生体由来凍結物を融解する融解工程と、前記融解装置に設けられた押圧部により前記容器を押圧して、前記生体由来凍結物が融解した生体由来液状物を前記容器内から押し出す押圧工程と、を含む、融解方法である。
【発明の効果】
【００１５】
本発明の融解装置及び融解方法によれば、生体由来凍結物の融解後に生体由来液状物を迅速に生体に投与することができる。
【図面の簡単な説明】
【００１６】
【図１】本発明の一実施形態に係る融解装置の概略説明図である。
【図２】上記融解装置の使用時の概略説明図である。
【図３】上記融解装置の使用時の動作説明図である。
【発明を実施するための形態】
【００１７】
以下、本発明に係る融解装置及び融解方法について好適な実施形態を挙げ、添付の図面を参照しながら説明する。
【００１８】
図１及び図２に示す本実施形態に係る融解装置１０は、容器１２内に収容された生体由来凍結物１４を融解するために使用される。容器１２は、例えば、樹脂フィルムで形成された袋状の扁平な軟質バッグである。容器１２内に収容された生体由来凍結物１４は、生体由来物質を含有する液体（生体由来液状物１４Ｌ）を凍結させたものである。
【００１９】
生体由来液状物１４Ｌとしては、例えば、細胞懸濁液、血液、血漿等が挙げられる。細胞懸濁液としては、幹細胞移植に用いられる造血幹細胞（臍帯血、骨髄液、末梢血幹細胞等）が挙げられる。細胞懸濁液の細胞はこれに限定されるものではないが、筋芽細胞、心筋細胞、線維芽細胞、滑膜細胞、上皮細胞、内皮細胞、肝細胞、膵細胞、腎細胞、副腎細胞、歯根膜細胞、歯肉細胞、骨膜細胞、皮膚細胞、軟骨細胞等の接着系細胞、全血、赤血球、白血球、リンパ球（Ｔリンパ球、Ｂリンパ球）、樹状細胞、血漿、血小板及び多血小板血漿等の血液細胞や血液成分、骨骸単核細胞、造血幹細胞、ＥＳ細胞、多能性幹細胞、ｉＰＳ細胞由来の細胞（例えば、ｉＰＳ細胞由来の心筋細胞）、間葉系幹細胞（例えば、骨髄、脂肪組織、末梢血、皮膚、毛根、筋組織、子宮内膜、胎盤、臍帯血由来のもの等）、精子細胞及び卵子細胞等の細胞である。これらの細胞は遺伝子治療等に用いられる遺伝子が導入された細胞であってもよい。容器１２の周縁部１２ａには、容器１２内から生体由来液状物１４Ｌを抜き出すためのポート１３が設けられている。ポート１３には、吐出用チューブ１６が接続されている。
【００２０】
融解装置１０は、箱状に構成されたハウジング１８と、ハウジング１８内に配置された押圧加温部２０とを備える。
【００２１】
ハウジング１８は、本体部１８Ａと蓋部１８Ｂとを有する。本体部１８Ａは、押圧加温部２０を収容する凹状の収容部２２と、容器１２を出し入れするための開口部２４とを有する。
【００２２】
具体的に、本体部１８Ａは、底部２６と、底部２６の周縁部から上方に突出した周壁部２８とを有し、底部２６と周壁部２８とにより凹状の収容部２２が形成されている。本体部１８Ａは、硬質な材料からなる。周壁部２８の上部には、吐出用チューブ１６が挿入可能な第１切欠部３０が設けられている。周壁部２８のうち、第１切欠部３０が設けられた辺とは別の辺の上部には、後述する導入チューブ４８及び導出チューブ５０がそれぞれ挿入された第２切欠部３２及び第３切欠部３４が設けられている。開口部２４は、上方に開口している。
【００２３】
蓋部１８Ｂは、硬質な材料からなる板状体であり、本体部１８Ａに可動に接続されている。具体的に、蓋部１８Ｂは、ヒンジ部３６を介して本体部１８Ａに回動可能に接続されおり、本体部１８Ａに対して開閉可能である。蓋部１８Ｂを閉じると、本体部１８Ａの開口部２４が閉じられた状態となる。蓋部１８Ｂには、閉じた状態を維持するためのロック機構３８が設けられている。本実施形態では、フック３８ａとピン３８ｂからなる機構を例示しているが、ロック機構３８の形態はこれに限らない。
【００２４】
蓋部１８Ｂには、透明性を有する硬質材料（例えば、アクリルガラス等）からなる窓部材４０が設けられている。ユーザは、窓部材４０を通して、融解装置１０内に配置された容器１２の状態を視認することが可能である。なお、蓋部１８Ｂの全体が透明性を有する硬質材料により構成されていてもよい。
【００２５】
本実施形態において、押圧加温部２０は、容器１２を加温する加温部４２ｈと容器１２を押圧する押圧部４２ｐの機能を兼ね備えた加温バッグ４２を有する。加温バッグ４２は、例えば樹脂フィルムにより形成され、容易に変形する軟質バッグである。加温バッグ４２には加温用の液体Ｌ（例えば、水）が充填されている。融解装置１０は、加温バッグ４２と蓋部１８Ｂとの間で容器１２を挟持するように構成されている。
【００２６】
融解装置１０は、液体Ｌを所定温度（例えば、３０〜４０℃）に加熱するとともに加温バッグ４２へと供給し、加温バッグ４２から液体Ｌを吸引して再加熱する加温循環部４６を備える。加温循環部４６にて所定温度に加熱された液体Ｌは、加温バッグ４２に接続された導入チューブ４８を介して加温バッグ４２へと送られる。液体Ｌは、加温バッグ４２から導出チューブ５０を介して加温循環部４６へと戻される。加温循環部４６は、制御部５２により制御される。加温循環部４６及び制御部５２は、ハウジング１８に一体的に設けられていてもよい。
【００２７】
次に、上記のように構成された融解装置１０の作用を説明する。
【００２８】
融解装置１０を使用して容器１２内に収容された生体由来凍結物１４を融解する場合には、図１に示すように、蓋部１８Ｂを開けて、生体由来凍結物１４が収容された容器１２を加温バッグ４２の上に載せる。その際、容器１２に接続された吐出用チューブ１６を、本体部１８Ａに設けられた第１切欠部３０に挿入して、吐出用チューブ１６をハウジング１８から引き出しておく。そして、図２に示すように、蓋部１８Ｂを閉めると、加温バッグ４２と蓋部１８Ｂとの間に容器１２が挟み込まれる。蓋部１８Ｂを閉めたら、蓋部１８Ｂが開かないようにロック機構３８により蓋部１８Ｂを本体部１８Ａに対して固定する。吐出用チューブ１６には、流路開閉機構として例えばクランプ５４を装着し、吐出用チューブ１６の流路を閉塞しておく。
【００２９】
次に、融解装置１０を用いて、本実施形態に係る融解方法を実施する。この融解方法は、生体由来凍結物１４を融解する融解工程と、生体由来凍結物１４が融解した生体由来液状物１４Ｌを容器１２内から押し出す押圧工程と含む。融解工程では、融解装置１０に設けられた加温部４２ｈ（加温バッグ４２）により、容器１２を加温して生体由来凍結物１４を融解する。押圧工程では、融解装置１０に設けられた押圧部４２ｐ（加温バッグ４２）により容器１２を押圧して、生体由来凍結物１４が融解した生体由来液状物１４Ｌを容器１２内から押し出す。より詳細には、以下のように融解工程及び押圧工程を行う。
【００３０】
融解工程では、加温循環部４６により、導入チューブ４８を介して、所定温度に加温した液体Ｌを加温バッグ４２へと注入する。液体Ｌの注入に伴い、加温バッグ４２が昇温し、加温バッグ４２と蓋部１８Ｂとの間に挟まれた容器１２内の生体由来凍結物１４は、加温バッグ４２により加温されることより融解する。この場合、液体Ｌの注入に伴い、加温バッグ４２が膨らむことでハウジング１８内の圧が高まり、加温バッグ４２が容器１２の外面に密着するため、容器１２内の生体由来凍結物１４を効率的に加温することができる。
【００３１】
このように、加温バッグ４２により容器１２内の生体由来凍結物１４が加温され、加温がある程度の時間維持されることで、生体由来凍結物１４の全体が融解される。ユーザは、ハウジング１８の外部から、窓部材４０を通して、ハウジング１８内に収容された容器１２内の生体由来凍結物１４の融解状態を視認することができる。
【００３２】
容器１２内の生体由来凍結物１４の融解が完了したら、次に、押圧工程を行う。押圧工程では、加温循環部４６により、加温バッグ４２内への液体Ｌの注入量を増加させることにより容器１２を押圧する。具体的には、図３に示すように、押圧工程では、クランプ５４を開けることにより吐出用チューブ１６の流路を開放してから、加温バッグ４２内の液体Ｌの量を融解工程時よりも増加させる。この際、加温循環部４６は、加温バッグ４２からの液体Ｌの吸引を停止するとともに、加温バッグ４２内へ液体Ｌを注入する。これにより、加温バッグ４２内の液体Ｌの量が増加する。
【００３３】
加温バッグ４２内の液体Ｌの増量に伴い、加温バッグ４２は容器１２を厚さ方向に押圧する。加温バッグ４２が容器１２に押圧されることにより、加温バッグ４２は、蓋部１８Ｂに向かって押し潰されて容積が減少する（容器１２の厚みが減少する）。この結果、加温バッグ４２内の生体由来液状物１４Ｌは、加温バッグ４２内から押し出され、吐出用チューブ１６を介して吐出される。吐出用チューブ１６は、図示しない投与チューブに接続されており、生体由来液状物１４Ｌは、投与チューブを介して生体（患者）に投与される。
【００３４】
本実施形態に係る融解装置１０（及び融解方法）は、以下の効果を奏する。
【００３５】
この融解装置１０によれば、生体由来凍結物１４の融解後に、生体由来液状物１４Ｌを生体に迅速に投与することができる。従って、医療現場での作業の効率化が図られる。また、加温用の液体Ｌが容器１２の外面に直接触れることがないため、衛生的である。
【００３６】
加温部４２ｈは、押圧部４２ｐを兼ねた押圧加温部２０である。これにより、装置構成の簡素化、合理化が図られる。
【００３７】
押圧加温部２０は、液体充填室を有する加温バッグ４２を有し、加温バッグ４２内への加温用の液体Ｌの注入量を増加させることにより容器１２を押圧する。この構成により、加温バッグ４２内への液体Ｌの導入量を調整することにより容易且つ確実に容器１２を押圧することができる。
【００３８】
融解装置１０は、容器１２を出し入れするための開口部２４が設けられ加温バッグ４２を収容する本体部１８Ａと、本体部１８Ａの開口部２４を開閉可能な蓋部１８Ｂと、を有するハウジング１８を備え、加温バッグ４２と蓋部１８Ｂとの間で容器１２を挟持する。この構成により、ハウジング１８内に容器１２を簡単に配置することができるとともに、加温バッグ４２により容器１２を効果的に押圧することができる。
【００３９】
なお、加温部４２ｈと押圧部４２ｐとは独立した構成であってもよい。この場合、例えば、加温バッグ４２とは別に、容器１２を押圧する機構（拡張可能な押圧バッグ、進退移動可能な押圧部材等）が押圧部として蓋部１８Ｂに設けられていてもよい。加温部４２ｈと押圧部４２ｐとが独立した構成である場合、加温部４２ｈは、通電により発熱するヒータであってもよい。
【００４０】
図１等において、加温バッグ４２には導入チューブ４８及び導出チューブ５０の２本のチューブが接続されているが、加温バッグ４２には１本の導入・導出用チューブの一端が接続されていてもよい。これにより、融解装置１０の構成をより簡素化することができる。この場合、加温循環部４６に代えて、導入・導出用チューブの他端には、加温バッグ４２に対して導入・導出用チューブを介して加温した液体Ｌを供給及び排出する加温給排部が接続される。
【００４１】
蓋部１８Ｂの下面に、上側のバッグとして別の加温バッグを設け、下側の加温バッグ４２と、上側の加温バッグとにより、容器１２を上下から挟み込む構成が採用されてもよい。これにより、容器１２の両側から容器１２内の生体由来凍結物１４を加温することができるため、生体由来凍結物１４を迅速に融解することができる。
【００４２】
本発明は上述した実施形態に限定されるものではなく、本発明の要旨を逸脱しない範囲において、種々の改変が可能である。
【符号の説明】
【００４３】
１０…融解装置                    １２…容器
１４…生体由来凍結物              １４Ｌ…生体由来液状物
１８…ハウジング                  １８Ａ…本体部
１８Ｂ…蓋部                      ２０…押圧加温部
４２…加温バッグ                  ４２ｈ…加温部
４２ｐ…押圧部
【図１】
2019154761.tif 000003
【図２】
2019154761.tif 000004
【図３】
2019154761.tif 000005